(57)【要約】【課題】直線型多頭口散布ブームを人力で拡張および収納できるようにする。【解決手段】散布車のフレームブラケットに組み付けたセンターブームピンを支点に該散布車の前後進方向に回動可能としたセンターブームと、該センターブームに組み付けたサイドブームピンにサイドブームを上下方向に回動可能となるように連結し、該センターブームと該サイドブームとを一体化して回動できるようにしたことを特徴とする。【選択図】図２
0003124985.tif 000002
【実用新案登録請求の範囲】
【請求項１】
散布車のフレームブラケットに組み付けたセンターブームピンを支点に散布車の前後進方向に回動可能としたセンターブームと、該センターブームに組み付けたサイドブームピンを介して連結され、該サイドブームピンを支点に上下方向に回動可能としたサイドブームとを有することを特徴とする散布車用液肥散布装置。
【請求項２】
給液管を兼ね、出口板の穴形状に対して噴出穴形状が異なる噴口を有する直線型多頭口を形成していることを特徴とする請求項１記載のセンターブームおよびサイドブーム。
【考案の詳細な説明】
【技術分野】
【０００１】
本考案は、酪農および畑作農業等において液肥を散布するための散布車に搭載する液肥散布装置に関する。
【背景技術】
【０００２】
従来の散布車は多目的に利用できるようにしているため、作動するブームと液肥散布用噴口とは分離している構造となっている。
【０００３】
したがって、ブームを直線型多頭口型の液肥散布用にした場合、重量が大きくなるとともに給液ホースの本数も多くなり人力によるブーム拡張および収納操作を不可能にしている。
【非特許文献１】「スラリースプレッダー  カタログ」、株式会社コーンズ・エージー
【０００４】
多数の液肥散布用噴口がブームに装着されることとなるので給液ホースが噴口の数もしくは概略半数の本数となり、均一な散布性能を得ようとするためには該散布車の上部に装備される液肥分配器構造が複雑となっている。さらに多本数の給液ホース曲げ抵抗力がブーム拡張および収納に油圧装置もしくは電動装置の装備を必要とさせている。
【考案の開示】
【考案が解決しようとする課題】
【０００５】
本考案は、直線型多頭口散布ブームを人力で拡張および収納できるようにするという課題と、噴口からの散布量の均一性を保ちながら、液肥分配器の構造を簡素化するという２点の課題を解決することを目的としている。
【課題を解決するための手段】
【０００６】
上記１点目の直線型多頭口散布ブームを人力で拡張および収納できるようにするという課題を解決するために、本考案は散布車のフレームブラケットに組み付けたセンターブームピンを支点に該散布車の前後進方向に回動可能としたセンターブームと、該センターブームに組み付けたサイドブームピンにサイドブームを上下方向に回動可能となるように連結し、該センターブームと該サイドブームとを一体化して回動できるようにしたことを特徴とする。
【０００７】
上記２点目の噴口からの散布量の均一性を保ちながら液肥分配器の構造を簡素化するという課題を解決するために、本考案は給液管を兼ねているセンターブームおよびサイドブームの出口板の穴形状に対して噴出穴形状が異なる噴口を有することを特徴とする。
【考案の効果】
【０００８】
本２点の考案よって、直線型多頭口散布ブームを拡張および収納するための油圧装置もしくは電動装置が不要となり、かつ液肥分配器の構造も簡素化できるため散布車の構造が簡素化できるとともに軽量化にも寄与する。
【考案を実施するための最良の形態】
【０００９】
図１は、本考案を散布車５０に搭載し進行方向に向かっての右側面図で、図２は後側から見た背面図である。１はセンターブーム、２Ｒおよび３Ｒはサイドブームで各々のブームは給液管を兼ね配管経路としては分離独立している。散布車５０に付属している圧送ポンプ５２はタンク５１を加圧し、圧送配管５３を経由して液肥を液肥分配器４へ供給する。液肥分配器４内の加圧されている液肥は給液ホース５から各ブーム１、２Ｒ、２L、３Rおよび３Lへ正圧状態で供給される。
【００１０】
図３において、センターブーム１はセンターブームピン１１を介して散布車５０に付帯されているフレームブラケット５４に結合され、センターブームピン１１を支点に散布車５０の前後進方向に回動される。サイドブーム２Ｒはサイドブームピン２１を介してセンターブーム１と連結され、サイドブームピン２１を支点に上下方向に回動される。
【００１１】
図５は給液管を兼ねているセンターブーム１、サイドブーム２Ｒ、２Ｌ、３Ｒおよび３Ｌの各出口板３０の穴形状と形状が異なる穴を有する噴口３１を組み付けた状態を表す断面図である。図６はＢ矢視方向から見た図である。
【実施例】
【００１２】
図１はセンターブーム１、サイドブーム２Ｒおよび３Ｒが収納された状態を表している。図２はサイドブーム２Ｒ、３Ｒ、２Ｌおよび３Lが拡張された状態で液肥散布作業状態を表している。図３はサイドブーム２Ｒがサイドブームピン２１を支点に上方に回動され、概ね垂直位置の状態を表している。
【００１３】
図３をＡ矢視方向から見た図４において、センターブームピン１１を支点にセンターブームピン１１に発生する微小な回転抵抗力以上の人力でサイドブーム２Ｒを散布車５０の前進方向へ押すと、概ね垂直状態のサイドブーム２Ｒおよび３Ｒはセンターブーム１と一体でセンターブームピン１１を支点に前進方向へ自重で倒れ収納位置に納まる。
【００１４】
図６において、出口板３０と出口穴形状が異なる噴口３１を一方へ移動し設定することによって各噴口３１からの散布量の均一性が得られる。したがって、給液ホース５の本数もブーム本数分で賄うことが可能となり、液肥分配器４は結果として簡素化された構造となる。
【００１５】
給液ホース５の本数最少化によるホース曲げ抵抗力の減少化と、センターブームピン１１およびサイドブームピン２１の機能と相まって直線型多頭口散布ブームを人力で拡張および収納可能としている。
【図面の簡単な説明】
【００１６】
【図１】本考案を搭載した進行方向に向かっての右側面図
【図２】本考案を搭載した後ろから見た背面図
【図３】本考案を後ろから見た詳細図
【図４】本考案を右側面から見た詳細図
【図５】噴口部の断面図
【図６】噴口部の平面図
【符号の説明】
【００１７】
１    センターブーム
２Ｒ  サイドブーム２Ｒ
２Ｌ  サイドブーム２Ｌ
３Ｒ  サイドブーム３Ｒ
３Ｌ  サイドブーム３Ｌ
４    液肥分配器
５    給液ホース
１１  センターブームピン
２１  サイドブームピン
３０  出口板
３１  噴口
３２  散布噴口ホース
３３  ボルト
５０  散布車
５１  タンク
５２  圧送ポンプ
５３  圧送配管
５４  フレームブラケット
【図１】
0003124985.tif 000003
【図２】
0003124985.tif 000004
【図３】
0003124985.tif 000005
【図４】
0003124985.tif 000006
【図５】
0003124985.tif 000007
【図６】
0003124985.tif 000008
【手続補正書】
【提出日】平成18年7月3日(2006.7.3)
【手続補正１】
【補正対象書類名】実用新案登録請求の範囲
【補正対象項目名】請求項２
【補正方法】変更
【補正の内容】
【請求項２】
請求項１において、前記センターブームおよび前記サイドブームが給液管を兼ね、出口板の穴形状に対して噴出穴形状が異なる噴口を有する直線型多頭口が形成されていることを特徴とする散布車用液肥散布装置。